【事件の表示】
　特願２００３−２８２５５８「電子回路」拒絶査定不服審判事件〔平成１６年３月１８日出願公開、特開２００４−８８７６９〕について、次のとおり審決する。
【結　論】
　本件審判の請求は、成り立たない。
【理　由】
１　手続の経緯・本願発明
　本願は、平成１５年７月３０日（優先権主張平成１４年８月５日）の出願であって、平成１７年３月１１日付けで拒絶査定がなされ、これに対し、同年４月１５日に拒絶査定に対する審判請求がなされるとともに、同年５月１３日付けで手続補正がなされたものである。
　
２　平成１７年５月１３日付けの手続補正（以下、「本件補正」という。）についての補正却下の決定
［補正却下の決定の結論］平成１７年５月１３日付けの手続補正を却下する。
［理由］本件補正により、特許請求の範囲の請求項１は、「【請求項１】プリント板に実装された複数の動作電圧レベル電源端子を有する集積回路と、前記プリント板の前記集積回路の周囲に実装された広い周波数帯域のノイズを除去する弁作用金属を陽極とし前記弁作用金属の酸化膜を誘電体とし前記酸化膜を前記陽極とで挟む固体電解質を陰極とする伝送線路型ノイズフィルタとを含み、前記プリント板は、前記集積回路及び前記伝送線路型ノイズフィルタの実装面と異なる面に互いに分離した第１の電源電圧供給線及び第２の電源電圧供給線を有する電源パターンが形成された電源ライン層と前記電源ライン層及び前記実装面とは異なる面に形成したグランドパターンが形成されたグランドライン層とを有し、前記伝送線路型ノイズフィルタの第１の陽極端子が前記第１の電源電圧供給線に接続され、前記伝送線路型ノイズフィルタの第２の陽極端子が前記第２の電源電圧供給線を介して前記集積回路の動作電圧レベル電源端子に接続され、前記伝送線路型ノイズフィルタの陰極が導電層を介してグランドライン層に接続されていることを特徴とする電子回路。」と補正された。
　なお、上記請求項１に係る発明の「前記伝送線路型ノイズフィルタの陰極が」（１０〜１１行目）は、請求項１の記載では「前記伝送線路型のイズフィルタの陰極が」となっているが、その前段の「前記伝送線路型ノイズフィルタの第１の陽極端子が」及び「前記伝送線路型ノイズフィルタの第２の陽極端子が」等の記載との対応からすると、「前記伝送線路型のイズフィルタの陰極が」は「前記伝送線路型ノイズフィルタの陰極が」の誤記と認め、本願の請求項１に係る発明（以下、「本願補正発明」という。）を上記のように認定した。
　上記補正は、請求項１に記載された発明を特定するために必要な事項である「電源端子」の限定事項である「動作電圧レベル」との構成を付加するものであり、また、「伝送線路型ノイズフィルタ」の限定事項である「弁作用金属を陽極とし前記弁作用金属の酸化膜を誘電体とし前記酸化膜を前記陽極とで挟む固体電解質を陰極とする」との構成、及び、「陰極が導電層を介してグランドライン層に接続されている」との構成を付加するものであり、また、「電源パターン」の限定事項である「互いに分離した第１の電源電圧供給線及び第２の電源電圧供給線」を有するとの構成を付加するものであり、また、「プリント板」の限定事項である「前記電源ライン層及び前記実装面とは異なる面に形成したグランドパターンが形成されたグランドライン層」を有するとの構成を付加するものであって、特許法第１７条の２第４項第２号の特許請求の範囲の減縮を目的とするものに該当する。
　そこで、本件補正後の本願補正発明が特許出願の際独立して特許を受けることができるものであるか（特許法第１７条の２第５項において準用する同法第１２６条第５項の規定に適合するか）について以下に検討する。
　
（１）引用刊行物記載の発明
　これに対して、原査定の拒絶の理由に引用された、本願の優先権主張の日前である平成１４年６月７日に頒布された「特開２００２−１６４７６０号公報」（以下、「引用例」という。）には、図面とともに、次の事項が記載されている。
　(1)　「【０００７】
【発明が解決しようとする課題】しかしながら、従来のノイズフィルタにおいては、広帯域の周波数の電気的ノイズを除去するために使用する複数のノイズフィルタの選定が煩わしかった。また、異種のノイズフィルタを複数設置するためにコストが高くなるという問題があった。
【０００８】したがって、本発明の目的は、一個のノイズフィルタ素子でも、広帯域の周波数を除去するだけでなく、高周波帯域の電子部品から発せられる電気的ノイズを濾波することができるノイズフィルタを提供することにある。」
　(2)　「【００２５】図１（ａ）乃至図１（ｃ）を参照すると、本発明に係る分布定数型ノイズフィルタ１は、直方体形状の分布定数回路形成部２の長辺方向に突出した一対の電極部２１ａを備えた３端子コンデンサ構造を有する。図１（ａ）のＡ−Ａ断面およびＢ−Ｂ断面の図１（ｂ）および図１（ｃ）に示すように、分布定数回路形成部２は略平板形状の金属板２１を二つの誘電体２２を介在して対向金属層４１で挟んだストリップ線路と呼ばれる伝送線路構造となっている。金属板２１が分布定数回路形成部２の両端から突出した部分は電極部２１ａである。このような構成の分布定数型ノイズフィルタ素子は、以下に記載するように、その両電極部２１ａが電源および負荷回路にそれぞれに接続されるとともに、対向金属層４１が接地電位等の固定電位に接続されることにより、周波数帯域の広いノイズフィルタとして機能する。
【００２６】以下、ノイズフィルタ１の長辺方向（Ｘ方向）の分布定数回路形成部２の長さをＬとし、分布定数回路形成部２の短辺方向（Ｙ方向）の長さをＷとして説明する。
【００２７】本発明に係るノイズフィルタ１は、電源および電子部品に接続される実装基板３０に設置される。すなわち、ノイズフィルタ１の両電極部２１ａは、実装基板３０上で、ＤＣ電源８に接続された電源端子３１とＬＳＩなどの電子部品９に接続された部品端子３２にそれぞれ接続される。さらに、分布定数回路形成部２の対向金属層４１を接地電位などの固定電位にするための電極端子４が実装基板３０に設けられている。
【００２８】図１に示したノイズフィルタの一例として、図２に示すようなアルミ固体電解コンデンサ６の場合を説明する。このアルミ固体電解コンデンサは、箔状のアルミニウム２１の表面にエッチング処理により凹凸をつけ、その表面に沿って誘電体として酸化皮膜２２ｂを形成する。さらにその酸化皮膜の表面に対向電極として導電性高分子層などの固体電解質層２２ｃ、グラファイト、銀ペースト層２２ａを形成したものである。この構成は、図１のノイズフィルタと同様のストリップ線路構造である。すなわち、線路導体が中心のアルミニウムであり、誘電体が酸化皮膜の形成されたエッチング層に相当する。また、接地導体が固体電解質層、グラファイトおよび銀ペースト層に相当する。エッチング層は表面積を大きくする処理が施されているため、同形状では単一の材料を用いるセラミックコンデンサなどよりも大きな静電容量を得ることができ、分布定数型ノイズフィルタに適している。
【００２９】試作した線路素子の形状は線路幅１０ｍｍ×線路長２０ｍｍで、誘電体の厚みに相当する厚みは約０．１５ｍｍである。また、線路全体での静電容量は３３０μＦ（定格電圧４Ｖ）であった。本素子の特性インピーダンスは下記に述べる式により０．５ｍΩと計算される。
【００３０】電極部２１ａは前述したように、電源端子３１および部品端子３２にそれぞれ接続されるが、図３に示すように、電源端子３１および部品端子３２の各表面積Ｓ２は、電極部２１ａと電源端子３１および部品端子３２との接続領域の各面積Ｓ１よりも大に設定されることが望ましい。その理由の一番目は、両者の接触面積をできるだけ大きくして接触抵抗を下げることにある。接触抵抗が大きいと直流分の損失が生じ、発熱するためである。理由の二番目は、電源端子３１および部品端子３２の面積が小さいとこれら端子のインピーダンスが高くなりノイズ成分である高周波電流を金属板２１に導入しにくくなるためである。」
　(3)　「【００４０】本発明に係る分布定数型ノイズフィルタは、一方の電極部２１ａに陽極端子３を介して間接的にＤＣ電源８が接続され、他方の電極部２１ａに陽極を介して間接的にＬＳＩ等の電子部品９が接続されて実施される。」
　(4)　「【００６１】図１０（ａ）、（ｂ）は、本発明に係る分布定数型ノイズフィルタの第六の実施の形態における構成を示す平面図およびそのＣ−Ｃ断面図である。図１０（ａ）に示すように、本発明に係る分布定数型ノイズフィルタの第六の実施の形態においては、各電極部または各陽極端子にリード線３１１、３２１を接続し、陰極端子４にリード線４００を一本または複数（図では２本）接続した構成とする。これにより高周波数でのインピーダンス特性は若干悪くなるものの、実装時の利便性が増す。」
　(5)　また、図１には、実装基板３０に実装されたＬＳＩなどの電子部品９と、前記実装基板３０に実装された分布定数型ノイズフィルタ１とを含む電子回路が示されている。
　
　以上の記載事項によると、引用例には、「電源および電子部品に接続される実装基板３０に設置され、両電極部２１ａは、実装基板３０上で、ＤＣ電源８に接続された電源端子３１とＬＳＩなどの電子部品９に接続された部品端子３２にそれぞれ接続され、分布定数回路形成部２の対向金属層４１を接地電位などの固定電位にするための陰極端子４が実装基板３０に設けられ、
　箔状のアルミニウム２１の表面に沿って誘電体として酸化皮膜２２ｂを形成し、さらにその酸化皮膜の表面に対向電極として導電性高分子層などの固体電解質層２２ｃ、グラファイト、銀ペースト層２２ａを形成したストリップ線路構造であり、線路導体が中心のアルミニウムであり、誘電体が酸化皮膜の形成されたエッチング層に相当し、また、接地導体が固体電解質層、グラファイトおよび銀ペースト層に相当する分布定数型ノイズフィルタ１を含み、分布定数型ノイズフィルタは、一方の電極部２１ａに陽極端子３を介して間接的にＤＣ電源８が接続され、他方の電極部２１ａに陽極を介して間接的にＬＳＩ等の電子部品９が接続される電子回路。」の発明（以下、「引用発明」という。）が記載されている。
　
（２）対比
　本願補正発明と引用発明を対比すると、引用発明における「実装基板３０」「ＬＳＩなどの電子部品９」「箔状のアルミニウム２１の表面に沿って誘電体として酸化皮膜２２ｂを形成し、さらにその酸化皮膜の表面に対向電極として導電性高分子層などの固体電解質層２２ｃ、グラファイト、銀ペースト層２２ａを形成した」「分布定数型ノイズフィルタ１」「電源端子３１」「陰極端子４」「一方の電極部２１ａ、他方の電極部２１ａ」は、それぞれ本願補正発明における「プリント板」「集積回路」「広い周波数帯域のノイズを除去する弁作用金属を陽極とし前記弁作用金属の酸化膜を誘電体とし前記酸化膜を前記陽極とで挟む固体電解質を陰極とする」「伝送線路型ノイズフィルタ」「電源パターン」「グランドパターン」「第１の陽極端子、第２の陽極端子」に相当する。
　また、引用発明の「ＬＳＩなどの電子部品９」が複数の端子を有することは当業者において明らかである。
　また、引用発明の「分布定数型ノイズフィルタ１」が広い周波数帯域のノイズを除去することは当業者において明らかである。
　
　したがって、両者は、以下のとおりの一致点及び相違点を有する。
（一致点）
「プリント板に実装された複数の端子を有する集積回路と、前記プリント板に実装された広い周波数帯域のノイズを除去する弁作用金属を陽極とし前記弁作用金属の酸化膜を誘電体とし前記酸化膜を前記陽極とで挟む固体電解質を陰極とする伝送線路型ノイズフィルタとを含み、前記プリント板は、電源パターンとグランドパターンとを有し、前記伝送線路型ノイズフィルタの第１の陽極端子が接続され、前記伝送線路型ノイズフィルタの第２の陽極端子が前記集積回路に接続され、前記伝送線路型ノイズフィルタの陰極が接続される電子回路。」である点。
　
（相違点）
　(1)　本願補正発明では、集積回路が複数の動作電圧レベル電源端子を有し、プリント板の前記集積回路の周囲に伝送線路型ノイズフィルタが実装されるのに対して、引用発明では、そのような点については明示がない点。
　(2)　プリント板が、本願補正発明では、集積回路及び伝送線路型ノイズフィルタの実装面と異なる面に互いに分離した第１の電源電圧供給線及び第２の電源電圧供給線を有する電源パターンが形成された電源ライン層と前記電源ライン層及び前記実装面とは異なる面に形成したグランドパターンが形成されたグランドライン層とを有するのに対して、引用発明では、集積回路及び伝送線路型ノイズフィルタの実装面に電源パターンとグランドパターンとを有する点。
　(3)　伝送線路型ノイズフィルタの第１の陽極端子が、本願補正発明では、前記第１の電源電圧供給線に接続されるのに対して、引用発明では、電源パターンに接続され、また、伝送線路型ノイズフィルタの第２の陽極端子が、本願補正発明では、前記第２の電源電圧供給線を介して前記集積回路の動作電圧レベル電源端子に接続されるのに対して、引用発明では、集積回路に接続され、また、伝送線路型ノイズフィルタの陰極が、本願補正発明では、導電層を介してグランドライン層に接続されるのに対して、引用発明では、陰極端子４に接続される点。
　
（３）判断
　上記相違点について検討する。
　相違点(1)
　プリント板に実装された複数の端子を有する集積回路と、前記プリント板の前記集積回路の周囲に実装されたノイズフィルタとを含むものは周知であり（例えば、特公平７−４６７４８号公報の図１、特開平７−１５４０７６号公報の図１、２、特開平９−２４６７７６号公報の図２０、２１等を参照）、また、プリント板に実装された複数の電源端子を有する集積回路は周知である（例えば、特公平７−４６７４８号公報の図１、特開平８−２８８６２６号公報の図１ないし４、特開平１０−６５１０３号公報の図１ないし４等を参照）から、引用発明において、複数の動作電圧レベル電源端子を有する集積回路と、前記プリント板の前記集積回路の周囲に実装されたノイズフィルタとを含むものとすることは当業者が適宜なし得ることである。その際に、集積回路の電源端子を動作電圧レベル電源端子とすることは設計事項である。
　相違点(2)、(3)
　集積回路及びノイズフィルタの実装面と異なる面に互いに分離した第１の電源供給部及び第２の電源供給部を有する電源パターンが形成された電源層と前記電源層及び前記実装面とは異なる面に形成したグランドパターンが形成されたグランド層とを有するプリント板、及び、前記ノイズフィルタの第１の端子を前記第１の電源供給部に接続し、前記ノイズフィルタの第２の端子を前記第２の電源供給部を介して前記集積回路に接続し、前記ノイズフィルタの第３の端子を電気的にグランド層に接続することは周知である（例えば、特開平７−１５４０７６号公報の図１、２、特開平１１−２３３９５１号公報の図１等を参照）。
　また、電源パターンの電源供給部をライン形状とした電源電圧供給線を有する電源ライン層と、グランドパターンをライン形状としたグランドライン層とを有するプリント板を用いることは必要に応じて適宜なし得ることである。
　したがって、引用発明のプリント板を、集積回路及びノイズフィルタの実装面と異なる面に互いに分離した第１の電源電圧供給線及び第２の電源電圧供給線を有する電源パターンが形成された電源ライン層と前記電源ライン層及び前記実装面とは異なる面に形成したグランドパターンが形成されたグランドライン層とを有するものとすることは当業者が適宜なし得ることである。また、ノイズフィルタの第１の端子を第１の陽極端子とし、第２の端子を第２の陽極端子とすること、及び、第３の端子を陰極とし、電気的に接続する手段として導電層を介して接続することは当業者が適宜なし得ることである。その際、集積回路の電源端子に電源を接続することは設計事項である。
　
　また、本願補正発明の効果についてみても、上記構成の採用に伴って当然に予測される程度のものにすぎず、格別顕著なものではない。
　したがって、本願補正発明は、引用発明、及び周知の技術事項に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
３　本願発明
　平成１７年５月１３日付けの手続補正は上記のとおり却下されたので、本願の特許請求の範囲の請求項１に係る発明は、平成１７年２月１８日付け手続補正書によって補正された明細書及び図面の記載からみて、上記請求項１に記載された次のとおりのものである （以下、「本願発明」という。）。
「【請求項１】プリント板に実装された複数の電源端子を有する集積回路と、前記プリント板の前記集積回路の周囲に実装された広い周波数帯域のノイズを除去する伝送線路型ノイズフィルタとを含み、前記プリント板は、前記集積回路及び前記伝送線路型ノイズフィルタの実装面と異なる面に電源電圧供給線を有する電源パターンが形成された電源ライン層を有し、前記伝送線路型ノイズフィルタの第１の陽極端子が前記電源電圧供給線に接続され、第２の陽極端子が前記集積回路の電源端子に接続されたことを特徴とする電子回路。」
　
（１）引用例
　原査定の拒絶の理由に引用された引用例、及びその記載事項は、前記「２　（１）」に記載したとおりである。
　
（２）対比・判断
　本願発明は、前記２で検討した本願補正発明から、「電源端子」の限定事項である「動作電圧レベル」との構成を省いたものであり、また、「伝送線路型ノイズフィルタ」の限定事項である「弁作用金属を陽極とし前記弁作用金属の酸化膜を誘電体とし前記酸化膜を前記陽極とで挟む固体電解質を陰極とする」との構成、及び、「陰極が導電層を介してグランドライン層に接続されている」との構成を省いたものであり、また、「電源パターン」の限定事項である「互いに分離した第１の電源電圧供給線及び第２の電源電圧供給線」を有するとの構成を省いたものであり、また、「プリント板」の限定事項である「前記電源ライン層及び前記実装面とは異なる面に形成したグランドパターンが形成されたグランドライン層」を有するとの構成を省いたものである。
　そうすると、本願発明の構成要件をすべて含み、さらに他の構成要件を付加したものに相当する本願補正発明が、前記「２　（３）」に記載したとおり、引用発明、及び周知の技術事項に基づいて、当業者が容易に発明をすることができたものであるから、本願発明も同様の理由により、引用発明、及び周知の技術事項に基づいて、当業者が容易に発明をすることができたものである。
　
（３）むすび
　以上のとおり、本願発明は、引用発明、及び周知の技術事項に基づいて当業者が容易に発明をすることができたものであるから、特許法第２９条第２項の規定により特許を受けることができない。
　よって、結論のとおり審決する。